(57)【要約】【課題】配線器具が火災による炎によって焼損してしまう可能性を低減させる。【解決手段】非常用照明装置１Ａは、天井１８に設置されている引掛シーリングボディ１０に対してアダプタ１１を介して着脱可能に電気的かつ機械的に接続されるプラグコネクタ１２を備える。非常用照明装置１Ａは、第１ＬＥＤモジュール２１と、非常用電源３４と、非常用電源３４を充電する充電装置と、非常用電源３４から供給される電力で第１ＬＥＤモジュール２１を点灯させる非常用点灯装置とを備える。非常用照明装置１Ａは、器具本体５と、引掛シーリングボディ１０の周囲を囲むように器具本体５と天井１８との間に配置されるガード部材７を備えている。ガード部材７は、不燃材で形成されている。【選択図】        図１
2019133899.tif 000002
【特許請求の範囲】
【請求項１】
天井に設置されている配線器具に対して、着脱可能に電気的かつ機械的に接続される接続部と、
非常用光源と、
蓄電機能を有する非常用電源と、
前記配線器具及び前記接続部を介して入力する電力で前記非常用電源を充電する充電装置と、
前記非常用電源から供給される電力で前記非常用光源を点灯させる非常用点灯装置と、
前記接続部、前記非常用光源、前記非常用電源、前記充電装置及び前記非常用点灯装置を支持する支持体と、
前記接続部と電気的かつ機械的に接続されている前記配線器具の周囲を囲むように前記支持体と前記天井との間に配置されるガード部材と
を備え、
前記ガード部材は、不燃材で形成されている、
非常用照明装置。
【請求項２】
前記ガード部材は、前記天井との距離を増減する方向に変位可能に構成されている、
請求項１記載の非常用照明装置。
【請求項３】
前記ガード部材は、前記配線器具が挿通可能な大きさの孔を有し、前記孔に前記配線器具を挿通させた状態で前記配線器具の周囲を囲むように構成されている、
請求項１記載の非常用照明装置。
【請求項４】
前記支持体に取り付けられて前記非常用光源を覆うカバーを備え、
前記支持体は、不燃材で形成されており、
前記カバーは、透光性を有する不燃材で形成されている、
請求項１〜３のいずれか１項に記載の非常用照明装置。
【請求項５】
常用光源と、
前記配線器具及び前記接続部を介して入力する電力で前記常用光源を点灯させる常用点灯装置と
を備える、
請求項１〜４のいずれか１項に記載の非常用照明装置。
【請求項６】
前記支持体に支持されて前記常用光源から放射される光の配光を制御する配光制御部材を備える、
請求項５記載の非常用照明装置。
【請求項７】
前記配光制御部材は、合成樹脂材料によって板状に形成され、前記常用光源から放射される光を導光するように構成されている、
請求項６記載の非常用照明装置。
【請求項８】
前記非常用光源を複数備え、
複数の前記非常用光源をそれぞれ一つずつ覆う複数のカバーを備え、
前記複数のカバーは、不燃材で形成されている、
請求項１〜７のいずれか１項に記載の非常用照明装置。
【発明の詳細な説明】
【技術分野】
【０００１】
本発明は、非常用照明装置に関し、より詳細には、既設の配線器具と電気的に接続される非常用照明装置に関する。
【背景技術】
【０００２】
従来例として特許文献１記載の非常用照明器具を例示する。特許文献１記載の非常用照明器具（以下、従来例と略す。）は、天井面に固定された引掛シーリング受台に掛止められる掛止爪を有して引掛シーリング受台に取り付けられる支持体を備える。支持体は、引掛シーリング受台を通して供給される交流電源の停電を検知する停電検知器を有している。また、従来例は、停電検知器の下面部に掛止爪をもって支持体に掛け止められる非常用照明装置部を備える。非常用照明装置部は、非常用ランプと、一次電池とを備え、停電検知器が停電を検知したときに一次電池から供給される電力で非常用ランプを点灯させるように構成されている。
【先行技術文献】
【特許文献】
【０００３】
【特許文献１】特開平０９−０６３３２６号公報
【発明の概要】
【発明が解決しようとする課題】
【０００４】
ところで、上記従来例では、引掛シーリング受台（配線器具）が露出しているため、例えば、火災が発生したときに引掛シーリング受台が焼損してしまう可能性が高い。仮に、引掛シーリング受台が焼損した場合、非常用ランプ（非常用光源）が消灯してしまうおそれがある。ゆえに、既設の配線器具に電気的に接続される非常用照明器具（非常用照明装置）においては、火災による配線器具の焼損を防ぐことが望まれている。
【０００５】
本発明の目的は、火災による配線器具の焼損を抑制することができる非常用照明装置を提供することである。
【課題を解決するための手段】
【０００６】
本発明の一態様に係る非常用照明装置は、天井に設置されている配線器具に対して、着脱可能に電気的かつ機械的に接続される接続部と、非常用光源と、蓄電機能を有する非常用電源とを備えている。前記非常用照明装置は、前記配線器具及び前記接続部を介して入力する電力で前記非常用電源を充電する充電装置と、前記非常用電源から供給される電力で前記非常用光源を点灯させる非常用点灯装置とを備えている。前記非常用照明装置は、前記接続部、前記非常用光源、前記非常用電源、前記充電装置及び前記非常用点灯装置を支持する支持体を備えている。前記非常用照明装置は、前記接続部と電気的かつ機械的に接続されている前記配線器具の周囲を囲むように前記支持体と前記天井との間に配置されるガード部材を備えている。前記ガード部材は、不燃材で形成されている。
【発明の効果】
【０００７】
本発明の非常用照明装置は、火災による配線器具の焼損を抑制することができるという効果がある。
【図面の簡単な説明】
【０００８】
【図１】図１は、実施形態１の非常用照明装置の分解斜視図である。
【図２】図２は、同上の非常用照明装置の斜め上方から見た斜視図である。
【図３】図３Ａは、同上の非常用照明装置の側面図である。図３Ｂは、同上の非常用照明装置の側面半断面図である。
【図４】図４Ａは、同上の非常用照明装置の側面半断面図である。図４Ｂは、同上の非常用照明装置の要部断面図である。
【図５】図５Ａは、同上の非常用照明装置の要部の側面断面図である。図５Ｂは、同上の非常用照明装置の要部の斜視図である。
【図６】図６は、同上の非常用照明装置の回路構成図である。
【図７】図７は、実施形態２の非常用照明装置の分解斜視図である。
【図８】図８は、同上の非常用照明装置の斜め上方から見た斜視図である。
【図９】図９Ａは、同上の非常用照明装置の側面図である。図９Ｂは、同上の非常用照明装置の側面半断面図である。
【図１０】図１０は、同上の非常用照明装置の要部の側面断面図である。
【図１１】図１１は、同上の非常用照明装置の要部の側面断面図である。
【図１２】図１２は、同上の非常用照明装置の変形例の要部の側面断面図である。
【図１３】図１３Ａは、実施形態３の非常用照明装置の下面図である。図１３Ｂは、同上の非常用照明装置の側面図である。
【図１４】図１４Ａは、同上の非常用照明装置の要部の断面図である。図１４Ｂは、同上の非常用照明装置の別の要部の断面図である。
【図１５】図１５は、実施形態４の非常用照明装置の斜視図である。
【発明を実施するための形態】
【０００９】
以下、本発明の非常用照明装置に係る実施形態について、図面を参照して詳細に説明する。ただし、下記の実施形態１〜４において説明する各図は模式的な図であり、各構成要素の大きさや厚さそれぞれの比が必ずしも実際の寸法比を反映しているとは限らない。なお、以下の実施形態１〜４で説明する構成は本発明の一例にすぎない。本発明は、以下の実施形態に限定されず、本発明の効果を奏することができれば、設計等に応じて種々の変更が可能である。
【００１０】
近年、海外から日本を訪れる観光客の増加に伴い、特に都市部において宿泊施設の不足が問題になっている。そのため、２０１３年１２月には国家戦略特別区域法が施行され、旅館業法が大幅に緩和されて個人宅や賃貸住宅を宿泊施設として活用できるようになった。このような動きを受けて、建物に設置が義務付けられている非常用照明装置についても、２０１６年１２月に建設省告示第１８３０号「非常用の照明装置の構造方法を定める件」が改正され、既存の建物で、非常用照明装置を後付けで設置することが可能となった。
【００１１】
以下に説明する実施形態１〜４は、上述のように既存の建物に後付けで設置することを想定した非常用照明装置である。具体的には、実施形態１〜４は、戸建て住宅や集合住宅などの建物の天井に設置されている配線器具（引掛シーリングボディ）に取り付けられる非常用照明装置である。また、実施形態１〜４の非常用照明装置は、常用光源と、常用電源（電力系統）から供給される電力で常用光源を点灯させる常用点灯装置とを備えた、いわゆる組込形非常時用照明器具である。ただし、非常用照明装置は組込形非常時用照明器具に限定されず、常用照明を行わずに非常用照明のみを行う、専用形非常時用照明器具であっても構わない。
【００１２】
［実施形態１］
実施形態１の非常用照明装置１Ａは、図１、図２、図３Ａ及び図３Ｂに示すように、光源ユニット２と、非常点灯ユニット３と、非常用電源３４と、常用点灯ユニット４と、プラグコネクタ１２と、器具本体５と、カバー６と、ガード部材７とを備えている。非常用照明装置１Ａは、引掛シーリングアダプタ（以下、アダプタと略す。）１１を介して、天井１８に設置されている配線器具（引掛シーリングボディ１０）と電気的かつ機械的に接続される。引掛シーリングボディ１０は、屋内配線によって電力系統（商用電力系統）と電気的に接続されている。なお、以下の説明では、特に断りのない限り、図１に示す矢印の向きにおいて、非常用照明装置１Ａの上下、左右、前後の各方向を規定する。
【００１３】
器具本体５は、下方に開放された円筒形状の本体部５０と、本体部５０の開放端から外向きに突出する円環状のフランジ部５１とを有している。なお、器具本体５は、亜鉛鋼板などの金属板が絞り加工されて形成されることが好ましい。
【００１４】
フランジ部５１の左右両端部分に、長手方向を左右方向と一致させた長孔状の取付孔５１０がそれぞれ一つずつ設けられている。各取付孔５１０は、フランジ部５１を厚み方向（上下方向）に貫通している（図１参照）。各取付孔５１０には、取付具５１１が一つずつ取り付けられる。取付具５１１は、Ｌ字形の角柱状に形成されたロッド５１１０と、ロッド５１１０の長手方向の一端部と繋がった四角形状のベース５１１１と、ベース５１１１の上面から上向きに立ち上がった矩形板状の摘まみ５１１２とを有する（図１、図４Ａ及び図４Ｂ参照）。なお、ロッド５１１０、ベース５１１１及び摘まみ５１１２は、金属などの不燃材で形成されることが好ましい。取付具５１１は、フランジ部５１の取付孔５１０に上からロッド５１１０を挿通させ、ベース５１１１によって取付孔５１０から取付具５１１が抜け落ちることを防ぐようにしてフランジ部５１に取り付けられている。なお、取付具５１１は、取付孔５１０に沿って双方向に移動可能な状態でフランジ部５１に取り付けられている。
【００１５】
本体部５０の内底面の中央には円形の孔５００が貫通している（図２及び図３Ｂ参照）。本体部５０の内底面における孔５００の周囲にホルダ５２が固定されている。
【００１６】
ホルダ５２は、貫通孔５２０を有する円筒部５２１と、円筒部５２１の上端に形成された鍔部５２２とを備えている（図３Ｂ参照）。そして、ホルダ５２の鍔部５２２は、円筒部５２１の貫通孔５２０が器具本体５の貫通孔５２０とほぼ同心となるように器具本体５の下面にビス等を用いて固定される。ホルダ５２の円筒部５２１の内周面には、周方向に沿って一条の溝５２３が形成されている（図１及び図３Ｂ参照）。
【００１７】
アダプタ１１は円筒形状に形成されている。アダプタ１１は、アダプタ１１の上側の底面（上面）から上向きに突出する引掛刃（不図示）を引掛シーリングボディ１０の引掛刃用刃受部にかん合することによって、引掛シーリングボディ１０と機械的かつ電気的に接続される。アダプタ１１の下側の底面（下面）の中央にレセプタクルコネクタ１１０が配置されている（図１参照）。このレセプタクルコネクタ１１０は、引掛刃と電気的に接続されており、引掛刃を介して引掛シーリングボディ１０の引掛刃用刃受部と導通している。さらに、アダプタ１１の外周面（外側面）において径方向に対向する２箇所に２つの爪１１１が設けられている。各爪１１１は、アダプタ１１の外周面から進退可能に突出し、かつ、アダプタ１１の外周面から突出する向きにばねで付勢されている。したがって、アダプタ１１が上から下に向かってホルダ５２の貫通孔５２０に挿入されると、各爪１１１がホルダ５２の溝５２３に引っ掛かる（図４Ａ参照）。その結果、器具本体５がホルダ５２の溝５２３とアダプタ１１の各爪１１１との引っ掛かりによって天井１８に固定される。
【００１８】
光源ユニット２は、円環状の実装基板２０と、実装基板２０の下面に実装されている第１ＬＥＤモジュール２１と、同じく実装基板２０の下面に実装されている第２ＬＥＤモジュール２２とを有している。
【００１９】
第１ＬＥＤモジュール２１は非常用光源である。第１ＬＥＤモジュール２１は、実装基板２０の下面において周方向に沿って等間隔に実装された複数の青色ＬＥＤ２１０と、これら複数の青色ＬＥＤ２１０を封止する合成樹脂製の封止部材２１１とを有している（図３Ｂ参照）。複数の青色ＬＥＤ２１０は、チップ・オン・ボード型の発光ダイオードである。封止部材２１１は、例えば、シリコーン樹脂のような透光性を有する合成樹脂で形成されている。なお、封止部材には青色ＬＥＤ２１０から放射される青色光を黄色光に波長変換するための蛍光物質が混入されている。つまり、第１ＬＥＤモジュール２１は白色光を放射する。
【００２０】
第２ＬＥＤモジュール２２は常用光源である。第２ＬＥＤモジュール２２は、実装基板２０の下面の第１ＬＥＤモジュール２１の外側に、周方向に沿って等間隔に実装された複数の青色ＬＥＤ２２０と、これら複数の青色ＬＥＤ２２０を封止する合成樹脂製の封止部材２２１とを有している（図３Ｂ参照）。複数の青色ＬＥＤ２２０は、チップ・オン・ボード型の発光ダイオードである。封止部材２２１は、例えば、シリコーン樹脂のような透光性を有する合成樹脂で形成されている。なお、封止部材２２１には青色ＬＥＤ２２０から放射される青色光を黄色光に波長変換するための蛍光物質が混入されている。つまり、第２ＬＥＤモジュール２２も第１ＬＥＤモジュール２１と同様に白色光を放射する。
【００２１】
非常点灯ユニット３は、非常用電源３４を充電する充電装置３３と、非常用光源（第１ＬＥＤモジュール２１）を点灯させる非常用点灯装置３５と、充電装置３３及び非常用点灯装置３５を収容するケース３０とを備えている（図１及び図６参照）。ケース３０は、例えば、合成樹脂によって弧状に湾曲した箱形に形成されている。ケース３０から引き出された一対の電線（入力線３１）の先端にプラグコネクタ１２が電気的に接続されている（図１参照）。非常用電源３４は、例えば、ニッケル水素電池のような二次電池からなる電池セルを複数有している。これら複数の電池セルは、例えば、熱収縮チューブからなる電池ケースに収容され、ケース３０から引き出されている一対の電線３２に対して電気的に直列接続されている。
【００２２】
常用点灯ユニット４は、常用光源（第２ＬＥＤモジュール２２）を点灯させる常用点灯装置４１と、無線信号を受信する受信部４２と、常用点灯装置４１及び受信部４２を収容するケース４０とを備えている（図１及び図６参照）。ケース４０は、非常点灯ユニット３のケース３０と同一の形状及び寸法の箱形に形成されている。ケース４０から引き出された一対の電線（入力線４３）の先端にプラグコネクタ１２が電気的に接続されている（図１参照）。なお、プラグコネクタ１２は、アダプタ１１のレセプタクルコネクタ１１０と電気的に接続される。
【００２３】
非常点灯ユニット３のケース３０、非常用電源３４及び常用点灯ユニット４は、器具本体５の本体部５０の内側に収容される。また、光源ユニット２は、非常点灯ユニット３のケース３０及び常用点灯ユニット４のケース４０の下面に取り付けられる（図３Ｂ及び図４Ａ参照）。
【００２４】
カバー６は、図１、図２、図３Ａ及び図３Ｂに示すように、上面が開放された楕円体状に形成されている。カバー６は、ケイ酸塩ガラスや石英ガラスのような透光性を有する不燃材で形成されている。カバー６は、上面の開放端から上向きに突出する円筒形状の突壁６０を有している（図２参照）。カバー６は、上面の開放端を通して器具本体５のフランジ部５１を突壁６０の内側に収容し、外向きに移動させられた一対の取付具５１１のロッド５１１０がカバー６の内側からカバー６に引っ掛かることで器具本体５に取り付けられる（図４Ａ及び図４Ｂ参照）。
【００２５】
ガード部材７は、ステンレス鋼板などの金属板によって円筒状に形成されている（図１参照）。ガード部材７の内径は、器具本体５の本体部５０の外径よりも僅かに大きい。ガード部材７は、本体部５０を内側に収めるようにして器具本体５に装着される（図２参照）。ガード部材７の前後両端には、上下方向を長手方向とする矩形のねじ挿通孔７０が一つずつ貫通している（図１参照）。一方、器具本体５の本体部５０の前後両端にはねじ孔（雌ねじ）５０１が一つずつ設けられている。すなわち、ガード部材７は、各ねじ挿通孔７０に１本ずつ挿通される２本の固定ねじ７１が本体部５０のねじ孔５０１に１本ずつねじ込まれることで本体部５０に固定される（図３Ｂ及び図５Ａ参照）。
【００２６】
非常用照明装置１Ａの回路構成を図６に示す。非常点灯ユニット３は、充電装置３３と、非常用電源３４と、非常用点灯装置３５とを有している。充電装置３３は、電力系統１９から供給される交流電力を直流電力に変換し、変換後の直流電力によって非常用電源３４を充電するように構成されている。非常用点灯装置３５は、非常用電源３４から供給される直流電力によって第１ＬＥＤモジュール２１を点灯させるように構成されている。また、非常用点灯装置３５は、プラグコネクタ１２を通して入力される交流電圧を計測することで電力系統１９の停電を検出し、電力系統１９が停電しているときにのみ、第１ＬＥＤモジュール２１を点灯させるように構成されている。
【００２７】
常用点灯ユニット４は、常用点灯装置４１と、受信部４２とを有している。受信部４２は、赤外線又は電波を媒体とする無線信号を受信し、受信した無線信号から取得した制御コマンドを常用点灯装置４１に出力するように構成されている。なお、制御コマンドを含む無線信号は、図示しないワイヤレス・リモート・コントローラから送信される。
【００２８】
常用点灯装置４１は、プラグコネクタ１２を通して電力系統１９から供給される交流電力を直流電力に変換し、変換後の直流電力によって第２ＬＥＤモジュール２２を点灯させるように構成されている。また、常用点灯装置４１は、受信部４２から受け取る制御コマンドに応じて第２ＬＥＤモジュール２２に供給する電流を調整して第２ＬＥＤモジュール２２を点灯、消灯及び調光するように構成されている。つまり、非常用照明装置１Ａは、第２ＬＥＤモジュール２２の消灯中にもプラグコネクタ１２を通して電力系統１９からの給電が継続され、非常用点灯装置３５が電力系統１９の停電を誤検出することを防止するように構成されている。
【００２９】
次に、非常用照明装置１Ａを天井１８に設置する作業について説明する。まず、作業者は、天井１８に設置されている引掛シーリングボディ１０にアダプタ１１を取り付ける。続いて、作業者は、カバー６を外してガード部材７を取り付けた状態の非常用照明装置１Ａをアダプタ１１に取り付ける。具体的には、作業者は、器具本体５に取り付けられているホルダ５２の貫通孔５２０にアダプタ１１を挿入し、アダプタ１１の一対の爪１１１をホルダ５２の円筒部５２１に設けられている溝５２３に嵌める。さらに、作業者は、アダプタ１１のレセプタクルコネクタ１１０とプラグコネクタ１２を電気的に接続させる。
【００３０】
ここで、ガード部材７の上端と天井１８との間に隙間が生じていると、地震などによって非常用照明装置１Ａが振動したときにホルダ５２の溝５２３とアダプタ１１の爪１１１、及びアダプタ１１の引掛刃に過大な応力が作用する可能性がある。
【００３１】
そこで、作業者は、ガード部材７を器具本体５に固定している２本の固定ねじ７１を緩め、ガード部材７の上端が天井１８に当たるまでガード部材７を上向きに移動させる。作業者は、ガード部材７の上端を天井１８に当てた状態で２本の固定ねじ７１を工具（ドライバ）で回し、ガード部材７を器具本体５の本体部５０に固定する。このように上端を天井１８に当てた状態でガード部材７が器具本体５に固定されれば、ガード部材７の上端と天井１８との間に隙間が生じない。そのため、非常用照明装置１Ａは、地震などによって振動したときにホルダ５２の溝５２３とアダプタ１１の爪１１１、及びアダプタ１１の引掛刃に過大な応力が作用する可能性を低くすることができる。さらに、非常用照明装置１Ａは、ガード部材７で引掛シーリングボディ１０及びアダプタ１１を囲っているので、引掛シーリングボディ１０やアダプタ１１が火災による炎によって焼損してしまう可能性を低減させることができる。しかも、ガード部材７の上端が天井１８に当たっているため、天井１８とガード部材７の隙間からガード部材７の内側に炎が侵入することを抑制し、引掛シーリングボディ１０やアダプタ１１が焼損してしまう可能性を更に低減させることができる。
【００３２】
続いて、作業者は、器具本体５のフランジ部５１に取り付けられている一対の取付具５１１を内側（本体部５０に近い側）に移動させた後、カバー６の突壁６０の内側に器具本体５のフランジ部５１を収める。最後に、作業者は、各取付具５１１の摘まみ５１１２に指を引っ掛けて各取付具５１１を外向き（本体部５０から離れる向き）に移動させ、各取付具５１１のロッド５１１０をカバー６の内側からカバー６に引っ掛けて器具本体５にカバー６を取り付ける。以上のような手順で非常用照明装置１Ａの天井１８への設置作業が完了する。
【００３３】
上述のように、非常用照明装置１Ａでは、ガード部材７の取付作業を除き、シーリングライトと呼ばれる一般の照明器具と同様の手順で天井１８に設置することができるので、電気工事士などの有資格者でなくても設置作業を行うことができる。
【００３４】
ここで、非常用照明装置１Ａでは、ガード部材７及びカバー６が容易に取り外されないように構成されている。具体的には、ガード部材７を器具本体５の本体部５０に固定している２本の固定ねじ７１が、三角形状の穴７１０を有する特殊ねじで構成されている（図５Ｂ参照）。つまり、先端が三角柱状に形成された特殊なねじ回し（ドライバ）でなければ、固定ねじ７１を回すことができない。そのため、非常用照明装置１Ａは、固定ねじ７１が回されてガード部材７が器具本体５から取り外されるような悪戯の被害を受けにくい。ただし、固定ねじ７１を構成する特殊ねじは三角形状以外の形状（ただし、十字形状、一文字形状、六角形状、正方形状を除く。）の穴を有する特殊ねじであってもかまわない。
【００３５】
また、非常用照明装置１Ａでは、一対の取付具５１１がカバー６の突壁６０の内側に収まっており、非常用照明装置１Ａの下から見て取付具５１１が視認され難くなっている（図２及び図３Ａ参照）。そのため、器具本体５からカバー６が外され、プラグコネクタ１２がアダプタ１１のレセプタクルコネクタ１１０から外されてしまうような悪戯の被害を受けにくい。
【００３６】
［実施形態２］
実施形態２の非常用照明装置１Ｂは、図７〜図１１に示すように、取付金具１３によって天井１８に固定される器具本体５、光源ユニット２、非常点灯ユニット３、常用点灯ユニット４、カバー６、引掛シーリングキャップ１４などを備えている。ただし、実施形態２の非常用照明装置１Ｂは、実施形態１の非常用照明装置１Ａと基本的な構成が共通している。したがって、形状等が多少異なっていても実施形態１の非常用照明装置１Ａの構成要素と機能が共通する構成要素については、実施形態１の非常用照明装置１Ａの構成要素と同一の符号を付して適宜説明を省略する。
【００３７】
取付金具１３は、有底円筒形状の金具本体１３０と、金具本体１３０の周縁から外向きに突出するＬ字形状の一対の支持片１３１とを有している。金具本体１３０の底面中央には、引掛シーリングボディ１０が挿通可能な大きさ（直径）を有する挿通孔１３２が貫通している。また、金具本体１３０における挿通孔１３２の周囲に４つのねじ挿通孔１３４が貫通している（図７及び図８参照）。さらに、各支持片１３１には、上下方向に貫通するねじ孔１３３が一つずつ設けられいる（図７参照）。
【００３８】
器具本体５は、円形の底板５３と、底板５３の周縁から全周に渡って下向きに突出する側板５４と、ガード板５５とを有している。なお、底板５３と側板５４とガード板５５は、ステンレス鋼板又は亜鉛鋼板などの金属板が絞り加工されることによって一体に形成されている（図７及び図８参照）。
【００３９】
底板５３の中央に円形の孔５３０が貫通している。孔５３０は、引掛シーリングボディ１０が挿通可能な寸法に形成されている。また、底板５３の孔５３０の周囲に、４つのだるま孔５３１が孔５３０の周方向に沿って等間隔に並べて設けられている。各だるま孔５３１は、底板５３及び孔５３０と同心の弧状に湾曲している（図７参照）。
【００４０】
側板５４には２つのねじ孔５４０が設けられている（図７参照）。２つのねじ孔５４０は、側板５４において孔５３０を挟んで対向する位置に設けられている。
【００４１】
ガード板５５は、底板５３の上面から上向きに突出している。ガード板５５は、孔５３０及び４つのだるま孔５３１を囲むように円錐台形状に形成されている（図８及び図９照）。
【００４２】
実施形態２の非常用照明装置１Ｂは、プラグコネクタ１２の代わりに引掛シーリングキャップ１４を備えている。引掛シーリングキャップ１４は、引掛シーリングボディ１０の引掛刃用刃受部にかん合する引掛刃１４０を有している（図７参照）。引掛シーリングキャップ１４は、非常点灯ユニット３の入力線３１及び常用点灯ユニット４の入力線４３と電気的に接続されている。
【００４３】
カバー６は、突壁６０を器具本体５の側板５４の内側に収めた状態で突壁６０が側板５４にねじ止めされて器具本体５に固定される（図９Ａ及び図９Ｂ参照）。より詳細には、側板５４に設けられている２つのねじ孔５４０に特殊ねじからなる固定ねじ５４１が１本ずつねじ込まれる。そして、各固定ねじ５４１の先端が突壁６０に押し当てられることによって、突壁６０が側板５４にねじ止めされる（図１１参照）。
【００４４】
次に、非常用照明装置１Ｂを天井１８に設置する作業について説明する。まず、作業者は、金具本体１３０の挿通孔１３２に引掛シーリングボディ１０を挿通し、金具本体１３０の４つのねじ挿通孔１３４に各々１本ずつ挿通した４本のねじ（不図示）を天井１８にねじ込むことによって取付金具１３を天井１８に固定する。それから、作業者は、取付金具１３の各支持片１３１のねじ孔１３３に取付ねじ１３５を１本ずつねじ込む。
【００４５】
続いて、作業者は、カバー６を外した器具本体５を取付金具１３に取り付ける。より詳細には、作業者は、器具本体５の底板５３の４つのだるま孔５３１のうちの隣り合わない２つのだるま孔５３１に取付ねじ１３５の頭部を１本ずつ挿通する。このとき、引掛シーリングボディ１０は底板５３の中央の孔５３０に挿通される。それから、作業者は、器具本体５を下から見て時計回りに回転させ、２本の取付ねじ１３５のねじ部をだるま孔５３１に沿って移動させた後、各取付ねじ１３５を締め込むことで器具本体５を取付金具１３に固定する。このとき、器具本体５のガード板５５の上端が天井１８に当たってガード板５５と天井１８との間に隙間が生じない（図９Ａ、図９Ｂ及び図１０参照）。さらに、作業者は、器具本体５の底板５３の孔５３０に挿通されている引掛シーリングボディ１０に引掛シーリングキャップ１４を接続する。
【００４６】
最後に、作業者は、突壁６０を器具本体５の側板５４の内側に収め、側板５４の２つのねじ孔５４０に固定ねじ５４１を１本ずつねじ込むことにより、カバー６を器具本体５に取り付ける。以上のような手順で非常用照明装置１Ｂの天井１８への設置作業が完了する。
【００４７】
上述のように、非常用照明装置１Ｂでは、器具本体５にカバー６を取り付ける作業を除き、一般の照明器具と同様の手順で天井１８に設置することができるので、電気工事士などの有資格者でなくても設置作業を行うことができる。
【００４８】
また、非常用照明装置１Ｂは、器具本体５の底板５３を貫通する孔５３０に引掛シーリングボディ１０が挿通された状態で器具本体５が取付金具１３を介して天井１８に取り付けられている。そのため、非常用照明装置１Ｂは、天井１８からの突出寸法が異なる様々な配線器具、例えば、引掛シーリングボディとシーリングローゼットに対してガード板５５と天井１８の隙間の減少を図ることができる。
【００４９】
また、非常用照明装置１Ｂは、ガード板５５の上端を天井１８に当てているので、地震などによって振動したときに器具本体５を取付金具１３に取り付けている取付ねじ１３５が弛みにくい。さらに、非常用照明装置１Ｂは、火災が発生したときに天井１８とガード板５５の隙間からガード板５５の内側に炎が侵入することを抑制し、引掛シーリングボディ１０が火災による炎によって焼損してしまう可能性を低減させることができる。
【００５０】
さらに、非常用照明装置１Ｂにおいても、器具本体５とカバー６を特殊ねじからなる固定ねじ５４１でねじ止めしているので、カバー６が器具本体５から取り外されるような悪戯の被害を受けにくい。
【００５１】
ところで、ガード板５５は器具本体５と別体に構成されても構わない。例えば、図１２に示すように、ガード板５５の下端に円環状の固定板５５０が一体に形成される。固定板５５０は、それぞれに取付ねじ１３５が挿通される一対の挿通孔５５１と、一対の雌ねじ（ねじ孔）５５２とが設けられている。ガード板５５は、器具本体５の底板５３を貫通する一対の挿通孔５３２に１本ずつ挿通される固定ねじ５５３が固定板５５０の一対の雌ねじ５５２に１本ずつねじ込まれることで器具本体５の底板５３に固定される。
【００５２】
［実施形態３］
実施形態３の非常用照明装置１Ｃは、図１３Ａ及び図１３Ｂに示すように、器具本体５、ガード部材７、導光パネル８などを備えている。器具本体５は、金属材料によって有底円筒形状に形成されている。器具本体５は、円形の底壁５６と、底壁５６の周縁から上向きに立ち上がる円筒形状の周壁５７とを有している。底壁５６の中央に円形の窓５６０が貫通している（図１３Ａ及び図１４Ｂ参照）。周壁５７には周方向に沿って複数の溝５７０が貫通している（図１４Ａ参照）。器具本体５は、実施形態１の非常用照明装置１Ａと同様にアダプタ（不図示）を介して引掛シーリングボディに取り付けられて天井に設置される。ただし、器具本体５は、実施形態２の非常用照明装置１Ｂと同様に取付金具を介して天井に設置されても構わない。
【００５３】
ガード部材７は、実施形態１の非常用照明装置１Ａにおけるガード部材７と同一の構成を有している。
【００５４】
導光パネル８は、アクリル樹脂などの透光性を有する合成樹脂によって円環状に形成されている。導光パネル８の内周面には、器具本体５の周壁５７の複数の溝５７０に一対一に対応して嵌合する複数の突部８０が周方向に沿って形成されている（図１４Ａ参照）。導光パネル８は、内周面の複数の突部８０の各々を複数の溝５７０に一つずつ嵌合させることによって器具本体５の周壁５７に取り付けられる。
【００５５】
器具本体５内には、第１ＬＥＤモジュール２１、第２ＬＥＤモジュール２２、非常点灯ユニット、常用点灯ユニット、非常用電源などが収容されている。非常点灯ユニット、常用点灯ユニット及び非常用電源については、実施形態１、２と共通であるので図示及び説明を省略する。
【００５６】
第２ＬＥＤモジュール２２は、図１４Ａに示すように、複数のパッケージ型のＬＥＤ２３と、これら複数のＬＥＤ２３が等間隔に並べて実装された実装基板２４と、モジュールカバー２５とを有している。実装基板２４は、例えば、合成樹脂材料によって円筒形状に形成されている。実装基板２４の外周面に複数のＬＥＤ２３が実装されている。第２ＬＥＤモジュール２２は、モジュールカバー２５を挟んで複数のＬＥＤ２３を導光パネル８の突部８０の端面に対向させるように器具本体５内に配置されている。モジュールカバー２５は、ケイ酸塩ガラスや石英ガラスのような不燃材によって円筒形状に形成されている。
【００５７】
第２ＬＥＤモジュール２２の複数のＬＥＤ２３から放射される光は、モジュールカバー２５を透過し、突部８０の端面から導光パネル８内に入射する。突部８０の端面から入射した光は、導光パネル８内を導光されながら導光パネル８の下面及び上面より出射する。
【００５８】
第１ＬＥＤモジュール２１は、パッケージ型のＬＥＤ２１２と、四角形状に形成されて下面にＬＥＤ２１２が実装された実装基板２１３とを有している。第１ＬＥＤモジュール２１は、底壁５６の窓５６０にＬＥＤ２１２を対向させるようにして器具本体５内に配置されている。ここで、第１ＬＥＤモジュール２１のＬＥＤ２１２の前方にレンズ１５が配置されている。レンズ１５は、ケイ酸塩ガラスや石英ガラスのような不燃材によってドーム状に形成されている。また、レンズ１５の先端部分は底壁５６の窓５６０に挿通されて器具本体５の外に突出している（図１３Ａ及び図１４Ｂ参照）。
【００５９】
非常用照明装置１Ｃは、実施形態１の非常用照明装置１Ａと同様の手順で天井に設置される。非常用照明装置１Ｃは、火災が発生したときに天井とガード部材７の隙間からガード部材７の内側に炎が侵入をすることを抑制し、引掛シーリングボディが火災による炎によって焼損してしまう可能性を低減させることができる。
【００６０】
さらに、非常用照明装置１Ｃにおいても、器具本体５とガード部材７を特殊ねじからなる固定ねじ７１でねじ止めしているので、ガード部材７が器具本体５から取り外されるような悪戯の被害を受けにくい。
【００６１】
ここで、非常用照明装置１Ｃは、火災が発生したときに合成樹脂製の導光パネル８が燃焼してしまう可能性がある。非常用照明装置１Ｃでは、器具本体５内において導光パネル８の突部８０と対向する位置に不燃物（モジュールカバー２５）が配置されているため、導光パネル８が燃焼してもモジュールカバー２５によって器具本体５内への炎の侵入を妨げることができる。なお、導光パネルがケイ酸塩ガラスや石英ガラスのような不燃材で形成される場合、合成樹脂製の導光パネル８と比較して重量が大幅に増加するので、アダプタによる取付が困難になる可能性がある。これに対して非常用照明装置１Ｃは、合成樹脂製の導光パネル８を備えているので、導光パネル８の軽量化を図りつつ常用照明に必要な照度を容易に確保することができる。
【００６２】
一方、器具本体５の底壁５６の窓５６０から突出するレンズ１５は不燃材で形成されている。そのため、非常用照明装置１Ｃは、器具本体５の底壁５６の窓５６０からの炎の侵入を妨げることができる。
【００６３】
［実施形態４］
実施形態４の非常用照明装置１Ｄは、図１５に示すように、器具本体５、ガード部材（不図示）、複数（図示例では８個）の灯具９などを備えている。器具本体５は、金属材料によって箱状に形成され、非常点灯ユニット、非常用電源、常用点灯ユニットなどを内部に収容している。器具本体５は、実施形態２の非常用照明装置１Ｂと同様に取付金具を介して天井に設置されている。ただし、器具本体５は、実施形態１の非常用照明装置１Ａと同様にアダプタを介して引掛シーリングボディに取り付けられて天井に設置されても構わない。ガード部材は、例えば、実施形態２の非常用照明装置１Ｂと同様に、器具本体５の上面から突出する円錐台形状又は角錐台形状に形成されて引掛シーリングボディの周囲を囲っている。
【００６４】
各灯具９は、外形が直方体形状の箱形に形成されているカバー９０と、カバー９０を支持する支持部９１と、支持部９１と器具本体５を機械的に接続するアーム９２とを有している。
【００６５】
カバー９０は、ケイ酸塩ガラスや石英ガラスのような不燃材で形成されている。カバー９０の内部には発光ダイオードからなる常用光源が収容されている。また、少なくとも１つの灯具９のカバー９０の内部に、発光ダイオードからなる非常用光源が収容されている。支持部９１は金属材料によって円筒形状に形成されている。支持部９１の下面にカバー９０が取り付けられている。アーム９２は、金属材料によって直管状に形成されている。アーム９２の内部には、器具本体５内の常用点灯ユニットとカバー９０内の常用光源を電気的に接続するための電線、及び器具本体５内の非常点灯ユニットとカバー９０内の非常用光源を電気的に接続するための電線が収容されている。
【００６６】
非常用照明装置１Ｄは、実施形態２の非常用照明装置１Ｂと同様の手順で天井に設置される。非常用照明装置１Ｄは、火災が発生したときに天井とガード部材の隙間からガード部材の内側に炎が侵入をすることを抑制し、引掛シーリングボディが火災による炎によって焼損してしまう可能性を低減させることができる。
【００６７】
さらに、非常用照明装置１Ｄにおいても、器具本体５とガード部材を特殊ねじからなる固定ねじでねじ止めされれば、ガード部材が器具本体５から取り外されるような悪戯の被害を受けにくい。
【００６８】
ここで、非常用照明装置１Ｄは、各灯具９のカバー９０が不燃材で形成されているので、火災時の非常用光源の焼失を妨げることができる。
【００６９】
上述のように本発明の第１の態様に係る非常用照明装置（１Ａ；１Ｂ；１Ｃ；１Ｄ）は接続部（プラグコネクタ１２；引掛シーリングキャップ１４）を備えている。接続部は、天井（１８）に設置されている配線器具（引掛シーリングボディ１０；引掛シーリングアダプタ１１）に対して、着脱可能に電気的かつ機械的に接続される。非常用照明装置は、非常用光源（第１ＬＥＤモジュール２１）と、蓄電機能を有する非常用電源（３４）とを備えている。非常用照明装置は、配線器具及び接続部を介して入力する電力で非常用電源（３４）を充電する充電装置（３３）と、非常用電源（３４）から供給される電力で非常用光源を点灯させる非常用点灯装置（３５）とを備えている。非常用照明装置は、接続部、非常用光源、非常用電源、充電装置及び非常用点灯装置を支持する支持体（器具本体５）を備えている。非常用照明装置は、接続部と電気的かつ機械的に接続されている配線器具の周囲を囲むように支持体と天井（１８）との間に配置されるガード部材（７）を備えている。ガード部材（７）は、不燃材で形成されている。
【００７０】
第１の態様に係る非常用照明装置は、不燃材で形成されているガード部材（７）で配線器具の周囲を囲っているので、配線器具が火災による炎によって焼損してしまう可能性を低減させることができる。
【００７１】
本発明の第２の態様に係る非常用照明装置（１Ａ）は、第１の態様との組合せにより実現され得る。第２の態様に係る非常用照明装置（１Ａ）において、ガード部材（７）は、天井（１８）との距離を増減する方向に変位可能に構成されていることが好ましい。
【００７２】
第２の態様に係る非常用照明装置（１Ａ）は、ガード部材（７）を変位させてガード部材（７）と天井（１８）の隙間を狭めることができる。その結果、非常用照明装置（１Ａ）は、天井（１８）からの突出寸法が異なる様々な配線器具に対してガード部材（７）と天井（１８）の隙間の減少させ、配線器具が火災による炎によって焼損してしまう可能性を更に低減させることができる。
【００７３】
本発明の第３の態様に係る非常用照明装置（１Ｂ）は、第１の態様との組合せにより実現され得る。第３の態様に係る非常用照明装置（１Ｂ）において、ガード部材（ガード板５５）は、配線器具が挿通可能な大きさの孔を有し、孔に配線器具を挿通させた状態で配線器具の周囲を囲むように構成されていることが好ましい。
【００７４】
第３の態様に係る非常用照明装置（１Ｂ）は、ガード部材の孔に配線器具を挿入させることにより、天井（１８）からの突出寸法が異なる様々な配線器具に対してガード部材と天井（１８）の隙間の減少を図ることができる。
【００７５】
本発明の第４の態様に係る非常用照明装置（１Ａ；１Ｂ；１Ｃ；１Ｄ）は、第１〜第３の態様のいずれか一つとの組合せにより実現され得る。第４の態様に係る非常用照明装置において、支持体に取り付けられて非常用光源を覆うカバー（６）を備えることが好ましい。支持体は、不燃材で形成されていることが好ましい。カバー（６）は、透光性を有する不燃材で形成されていることが好ましい。
【００７６】
第４の態様に係る非常用照明装置は、不燃材で形成されているカバー（６）によって非常用光源を覆っているので、火災の炎による非常用光源の焼損を抑制することができる。
【００７７】
本発明の第５の態様に係る非常用照明装置（１Ａ；１Ｂ；１Ｃ；１Ｄ）は、第１〜第４の態様のいずれか一つとの組合せにより実現され得る。第５の態様に係る非常用照明装置は、常用光源（第２ＬＥＤモジュール２２）と、配線器具及び接続部を介して入力する電力で常用光源を点灯させる常用点灯装置（４１）とを備えることが好ましい。
【００７８】
第５の態様に係る非常用照明装置は、非常用照明だけでなく常用照明を行うことで使い勝手の向上を図ることができる。
【００７９】
本発明の第６の態様に係る非常用照明装置（１Ｃ）は、第５の態様との組合せにより実現され得る。第６の態様に係る非常用照明装置（１Ｃ）は、支持体に支持されて常用光源から放射される光の配光を制御する配光制御部材（導光パネル８）を備えることが好ましい。
【００８０】
第６の態様に係る非常用照明装置（１Ｃ）は、配光制御部材によって適切な常用照明を行うことができる。
【００８１】
本発明の第７の態様に係る非常用照明装置（１Ｃ）は、第６の態様との組合せにより実現され得る。第７の態様に係る非常用照明装置（１Ｃ）において、配光制御部材は、合成樹脂材料によって板状に形成され、常用光源から放射される光を導光するように構成されていることが好ましい。
【００８２】
第７の態様に係る非常用照明装置（１Ｃ）は、配光制御部材の軽量化を図りつつ常用照明に必要な照度を容易に確保することができる。
【００８３】
本発明の第８の態様に係る非常用照明装置（１Ｄ）は、第１〜第７の態様のいずれか一つとの組合せにより実現され得る。第８の態様に係る非常用照明装置（１Ｄ）は、非常用光源を複数備えることが好ましい。非常用照明装置（１Ｄ）は、複数の非常用光源をそれぞれ一つずつ覆う複数のカバー（９０）を備えることが好ましい。複数のカバー（９０）は、不燃材で形成されていることが好ましい。
【００８４】
第８の態様に係る非常用照明装置（１Ｄ）は、複数の非常用光源で広範囲を照明することができる。
【符号の説明】
【００８５】
１Ａ；１Ｂ；１Ｃ；１Ｄ  非常用照明装置
５  器具本体（支持体）
６  カバー
７  ガード部材
１０  引掛シーリングボディ（配線器具）
１１  引掛シーリングアダプタ（接続部）
１２  プラグコネクタ（接続部）
１４  引掛シーリングキャップ（接続部）
１８  天井
２１  第１ＬＥＤモジュール（非常用光源）
２２  第２ＬＥＤモジュール（常用光源）
３３  充電装置
３４  非常用電源
３５  非常用点灯装置
４１  常用点灯装置
９０  カバー
【図１】
2019133899.tif 000003
【図２】
2019133899.tif 000004
【図３】
2019133899.tif 000005
【図４】
2019133899.tif 000006
【図５】
2019133899.tif 000007
【図６】
2019133899.tif 000008
【図７】
2019133899.tif 000009
【図８】
2019133899.tif 000010
【図９】
2019133899.tif 000011
【図１０】
2019133899.tif 000012
【図１１】
2019133899.tif 000013
【図１２】
2019133899.tif 000014
【図１３】
2019133899.tif 000015
【図１４】
2019133899.tif 000016
【図１５】
2019133899.tif 000017